(57)【要約】【課題】カメラ機能を使用する場合、外部に撮影事実を知らせて撮影対象者や撮影現場周辺の人々が撮影事実が分かるようにするカメラを備えた移動通信端末機のカメラ撮影制御装置及びその方法を提供しようとする。【解決手段】カメラの動作を指示するカメラスイッチと、撮影状態であることを外部に知らせる撮影状態お知らせ機能部と、外部映像をデジタル映像データに変換するカメラ機能部と、前記カメラスイッチの動作が検出されると、前記撮影状態お知らせ機能部の状態が正常であるかを確認して、前記撮影状態お知らせ機能部が正常であると、前記撮影状態お知らせ機能部及び前記カメラ機能部を駆動する制御器と、を包含してカメラを備えた移動通信端末機のカメラ撮影制御装置を構成する。【選択図】　図１
2004080790.tif 000002
【特許請求の範囲】
【請求項１】
　カメラの動作を指示するカメラスイッチと、
　撮影状態であることを外部に知らせる撮影状態お知らせ機能部と、
　外部映像をデジタル映像データに変換するカメラ機能部と、
　前記カメラスイッチの動作が検出されるとき、前記撮影状態お知らせ機能部の状態が正常であるかを確認して、前記撮影状態お知らせ機能部が正常であると、前記撮影状態お知らせ機能部及び前記カメラ機能部を駆動する制御器と、
　を包含して構成されることを特徴とするカメラを備えた移動通信端末機のカメラ撮影制御装置。
【請求項２】
　前記カメラスイッチは、
　外部キー、内部特定キー及びソフトキーを包含することを特徴とする請求項１に記載のカメラを備えた移動通信端末機のカメラ撮影制御装置。
【請求項３】
　前記撮影状態お知らせ機能部に提供される情報を保存し、前記変換されたデジタル映像データを保存するメモリが更に包含されることを特徴とする請求項１に記載のカメラを備えた移動通信端末機のカメラ撮影制御装置。
【請求項４】
　前記撮影状態お知らせ機能部は、
　前記制御器の制御により、保存された音声メッセージや音響を再生するオーディオ再生部と、
　前記再生された音声メッセージや音響を出力するスピーカーと、
　を包含して構成されることを特徴とする請求項１に記載のカメラを備えた移動通信端末機のカメラ撮影制御装置。
【請求項５】
　前記制御器の制御により撮影状態を所定パターンに表示する発光素子が更に包含されることを特徴とする請求項４に記載のカメラを備えた移動通信端末機のカメラ撮影制御装置。
【請求項６】
　前記制御器の制御により撮影状態を表すフラッシュが更に包含されることを特徴とする請求項４に記載のカメラを備えた移動通信端末機のカメラ撮影制御装置。
【請求項７】
　カメラ機能が選択されるとき、撮影状態お知らせ機能部の状態を判断する過程と、
　該撮影状態お知らせ機能部の状態が正常でないとき、撮影せずに終了する過程と、
　該撮影状態お知らせ機能部の状態が正常であるとき、既設定された撮影状態お知らせ機能を遂行すると共に撮影を遂行する過程と、
　を順次行うことを特徴とするカメラを備えた移動通信端末機のカメラ撮影制御方法。
【請求項８】
　前記カメラ機能の選択は、
　前記カメラスイッチの動作の検出又はカメラ撮影メニューの選択を表すことを特徴とする請求項７に記載のカメラを備えた移動通信端末機のカメラ撮影制御方法。
【請求項９】
　前記撮影状態お知らせ機能部は、
　既設定された音声又は音響を再生するオーディオ再生部と、
　前記再生される音声又は音響を出力するためのスピーカーと、
　既設定されたパターンで発光する発光素子と、
　を包含して構成されることを特徴とする請求項７に記載のカメラを備えた移動通信端末機のカメラ撮影制御方法。
【請求項１０】
　フラッシュが更に包含されることを特徴とする請求項９に記載のカメラを備えた移動通信端末機のカメラ撮影制御方法。
【請求項１１】
　前記撮影状態お知らせ機能部の状態を判断する過程は、
　前記スピーカーの固有抵抗値を測定する過程と、
　前記測定されたスピーカーの固有抵抗値によって前記スピーカーの状態を判断する過程と、
　前記発光素子の固有抵抗値や固有電圧降下を測定する過程と、
　前記測定された発光素子の固有抵抗値や電圧降下によって前記発光素子の状態を判断する過程と、
　を順次行うことを特徴とする請求項９に記載のカメラを備えた移動通信端末機のカメラ撮影制御方法。
【請求項１２】
　前記撮影状態お知らせ機能は、
　音声／音響出力機能、発光機能及びフラッシュ機能の少なくとも一つを包含することを特徴とする請求項７に記載のカメラを備えた移動通信端末機のカメラ撮影制御方法。
【請求項１３】
　前記音声／音響出力機能は、
　既設定された音声メッセージ又は音響を制御器の制御により前記メモリから引き出して、その引き出された音声メッセージ又は音響を再生して外部に出力することを特徴とする請求項１２に記載のカメラを備えた移動通信端末機のカメラ撮影制御方法。
【請求項１４】
　前記音声メッセージ又は音響は、
　保存された複数の音声メッセージ又は音響から使用者の選択により設定されることを特徴とする請求項１３に記載のカメラを備えた移動通信端末機のカメラ撮影制御方法。
【請求項１５】
　前記発光機能は、
　既設定されたパターンで発光することを特徴とする請求項１２に記載のカメラを備えた移動通信端末機のカメラ撮影制御方法。
【請求項１６】
　前記パターンは、
　複数の発光パターンから使用者の選択により設定されることを特徴とする請求項１５に記載のカメラを備えた移動通信端末機のカメラ撮影制御方法。
【請求項１７】
　前記撮影状態お知らせ機能を遂行する過程は、
　前記カメラ機能が写真撮影を表すと、前記既設定された撮影状態お知らせ機能を撮影直前又は撮影と同時に遂行する過程と、
　前記カメラ機能が動映像撮影を表すと、前記既設定された撮影状態お知らせ機能を撮影する間連続的に遂行する過程と、
　を包含することを特徴とする請求項７に記載のカメラを備えた移動通信端末機のカメラ撮影制御方法。
【発明の詳細な説明】
【技術分野】
【０００１】
　本発明はデジタルカメラを備えた移動通信端末機に係るもので、詳しくは、カメラを備えた移動通信端末機のカメラ撮影制御装置及びその方法に関するものである。
【背景技術】
【０００２】
　現在使用されている移動通信端末機は、通信速度が改善されて内部メモリ及び処理速度が増加されることで、多様な機能が追加されつつある。その中でも、表示装置の拡大及び表示水準の改善に伴い、写真は勿論で動映像も鑑賞することができるようになった。
【０００３】
　このような移動通信端末機の急速な発展及び普及により、従来には不要に思われた機能の開発が漸次定着しつつある。例えば、初めに登場の際、有効に活用されていなかったカメラ機能が、その解像度の向上によって、既存のデジタルカメラの活用領域までその用途が広がっている。
【０００４】
　即ち、移動通信端末機の表示機能、内部処理能力及びメモリの拡張によって、移動通信端末機の既存機能に付加的なイメージセンサー関連モジュールを装着することで、移動通信端末機をデジタルカメラの用途にも使用することができるようになり、着脱式カメラが装着され、又は内蔵型カメラを有した移動通信端末機が既に商用化された。
【０００５】
　このような移動通信端末機を備えたデジタルカメラは多様な用途に活用することができるが、携帯する時間が長くなって、どこでも写真又は動映像を保存することができるため、一般的な興味中心の写真だけでなく特定事故の発生時に該事件を証明し得る写真を撮影することもできる。又、興味のある対象を見付けたとき、非常に簡単に写真や動映像に保存して、これを分析及び研究することもできる。
【０００６】
　図３はこのようなデジタルカメラを備えた従来の移動通信端末機の構成を示したブロック図で、図示されたように、従来の移動通信端末機においては、使用者の入力を受け入れるカメラスイッチ１０と、該カメラスイッチ１０の出力によりカメラの動作を制御する制御器２０と、該制御器２０の制御により外部映像を所定デジタル映像データに変換するカメラ機能部３０と、前記変換されたデジタル映像データを保存するためのメモリ４０と、を包含して構成されている。
【０００７】
　このとき、前記移動通信端末機は、既存のキー（ｋｅｙ）とは別途に具備されたキーを前記カメラスイッチ１０として利用することもできるし、既存のキー中、所定キーをメニューの選択により前記カメラスイッチ１０として利用することもできる。
【０００８】
　以下、このように構成された従来のデジタルカメラを備えた移動通信端末機の動作に対して説明する。
【０００９】
　即ち、前記カメラスイッチ１０が使用者により操作されると、前記制御器２０は前記カメラ機能部３０を駆動し、該カメラ機能部３０は、カメラセンサー及びイメージ処理部を包含するが、前記制御器２０の制御により、現在カメラセンサーに感知される映像をデジタル映像データに変換して、その変換されたデジタル映像データを前記メモリ４０の所定領域に保存する。
【００１０】
　このような動作により、デジタルカメラを備えた移動通信端末機は、静止映像を保存することができるし、選択的に動映像まで保存することもできる。
【００１１】
　従って、移動通信端末機は、外装又は内蔵されたデジタルカメラを利用して、いつでも所望する場面を保存することができる。
【特許文献１】韓国登録実用新案第０２７２８０３号明細書
【特許文献２】韓国特許出願公開第２００２−００１２７３５号明細書
【特許文献３】韓国登録実用新案第０３１００６８号明細書
【特許文献４】特開２００３−０４６６１０号公報
【特許文献５】特開２００２−３０５５６６号公報
【特許文献６】特開２００２−３０５５６５号公報
【特許文献７】特開２０００−２１７０２３号公報
【発明の開示】
【発明が解決しようとする課題】
【００１２】
　然るに、このような従来の移動通信端末機においては、移動通信端末機に外装又は内蔵されたデジタルカメラを利用して写真又は動映像を撮影する場合、使用者以外の他人が撮影事実が分かるような機能が遂行されないため他人が撮影事実を気付くことが難しく、被撮影者自身が気付いていない状態で自身の行動が撮影されることが発生するため、私生活の侵害問題が発生し、産業現場又は軍事施設の重要設備や機密事項が何の制限なく任意に撮影されることで、産業／軍事上の秘密が外部に漏出される憂いがあるという不都合な点があった。
【００１３】
　本発明は、このような従来の課題に鑑みてなされたもので、本発明の目的は、カメラ機能を使用する場合、外部に被撮影事実を知らせて被撮影対象者や撮影現場周辺の人々が撮影事実が分かるようにするカメラを備えた移動通信端末機のカメラ撮影制御装置及びその方法を提供することにある。
【課題を解決するための手段】
【００１４】
　このような目的を達成するため、本発明に係るカメラを備えた移動通信端末機のカメラ撮影制御装置においては、カメラの動作を指示するカメラスイッチと、撮影状態であることを外部に知らせる撮影状態お知らせ機能部と、外部映像をデジタル映像データに変換するカメラ機能部と、前記カメラスイッチの動作が検出されるとき、前記撮影状態お知らせ機能部の状態が正常であるかを確認して、前記撮影状態お知らせ機能部が正常であると、前記撮影状態お知らせ機能部及び前記カメラ機能部を駆動する制御器と、を包含して構成されることを特徴とする。
【００１５】
　又、前記カメラスイッチは、外部キー、内部特定キー及びソフトキーを包含することを特徴とする。
【００１６】
　又、本発明に係るカメラを備えた移動通信端末機のカメラ撮影制御装置は、前記撮影状態お知らせ機能部に提供される情報を保存し、前記変換されたデジタル映像データを保存するメモリが更に包含されることを特徴とする。
【００１７】
　又、前記撮影状態お知らせ機能部は、前記制御器の制御により、保存された音声メッセージや音響を再生するオーディオ再生部と、前記再生された音声メッセージや音響を出力するスピーカーと、を包含して構成されることを特徴とする。
【００１８】
　又、前記撮影状態お知らせ機能部は、前記制御器の制御により撮影状態を所定パターンに表示する発光素子が更に包含されることを特徴とする。
【００１９】
　又、前記撮影状態お知らせ機能部は、前記制御器の制御により撮影状態を表すフラッシュが更に包含されることを特徴とする。
【００２０】
　又、本発明に係るカメラを備えた移動通信端末機のカメラ撮影制御方法においては、カメラ機能が選択されるとき、撮影状態お知らせ機能部の状態を判断する過程と、該撮影状態お知らせ機能部の状態が正常でないとき、撮影せずに終了する過程と、該撮影状態お知らせ機能部の状態が正常であるとき、既設定された撮影状態お知らせ機能を遂行すると共に撮影を遂行する過程と、を順次行うことを特徴とする。
【００２１】
　又、前記カメラ機能の選択は、前記カメラスイッチの動作の検出又はカメラ撮影メニューの選択を表すことを特徴とする。
【００２２】
　又、前記撮影状態お知らせ機能部は、既設定された音声又は音響を再生するオーディオ再生部と、前記再生される音声又は音響を出力するためのスピーカーと、既設定されたパターンで発光する発光素子と、を包含して構成されることを特徴とする。
【００２３】
　又、前記撮影状態お知らせ機能部は、光を出力するフラッシュが更に包含されることを特徴とする。
【００２４】
　又、前記撮影状態お知らせ機能部の状態を判断する過程は、前記スピーカーの固有抵抗値を測定する過程と、前記測定されたスピーカーの固有抵抗値によって前記スピーカーの状態を判断する過程と、前記発光素子の固有抵抗値や固有電圧降下を測定する過程と、前記測定された発光素子の固有抵抗値や電圧降下によって前記発光素子の状態を判断する過程と、を順次行うことを特徴とする。
【００２５】
　又、前記撮影状態お知らせ機能は、音声／音響出力機能、発光機能及びフラッシュ機能の少なくとも一つを包含することを特徴とする。ここで、前記音声／音響出力機能は、既設定された音声メッセージ又は音響を制御器の制御により前記メモリから引き出して、その引き出された音声メッセージ又は音響を再生して外部に出力し、該音声メッセージ又は音響は、保存された複数の音声メッセージ又は音響から使用者の選択により設定されることを特徴とする。且つ、前記発光機能は、既設定されたパターンで発光し、該パターンは、複数の発光パターンから使用者の選択により設定されることを特徴とする。
【００２６】
　又、前記撮影状態お知らせ機能を遂行する過程は、前記カメラ機能が写真撮影を表すと、前記既設定された撮影状態お知らせ機能を撮影直前又は撮影と同時に遂行する過程と、前記カメラ機能が動映像撮影を表すと、前記既設定された撮影状態お知らせ機能を撮影する間連続的に遂行する過程と、を包含することを特徴とする。
【００２７】
　本発明によるカメラを備えた移動通信端末機のカメラ撮影制御装置は、カメラの動作を指示するカメラスイッチと、撮影状態であることを外部に知らせる撮影状態お知らせ機能部と、外部映像をデジタル映像データに変換するカメラ機能部と、前記カメラスイッチの動作が検出されるとき、前記撮影状態お知らせ機能部の状態が正常であるかを確認して、前記撮影状態お知らせ機能部が正常であると、前記撮影状態お知らせ機能部及び前記カメラ機能部を駆動する制御器と、を包含して構成され、これにより上記目的を達成する。
【００２８】
　前記カメラスイッチは、外部キー、内部特定キー及びソフトキーを包含することを特徴としてもよい。
【００２９】
　前記撮影状態お知らせ機能部に提供される情報を保存し、前記変換されたデジタル映像データを保存するメモリが更に包含されることを特徴としてもよい。
【００３０】
　前記撮影状態お知らせ機能部は、前記制御器の制御により、保存された音声メッセージや音響を再生するオーディオ再生部と、前記再生された音声メッセージや音響を出力するスピーカーと、を包含して構成されることを特徴としてもよい。
【００３１】
　前記制御器の制御により撮影状態を所定パターンに表示する発光素子が更に包含されることを特徴としてもよい。
【００３２】
　前記制御器の制御により撮影状態を表すフラッシュが更に包含されることを特徴としてもよい。
【００３３】
　本発明によるカメラを備えた移動通信端末機のカメラ撮影制御方法は、カメラ機能が選択されるとき、撮影状態お知らせ機能部の状態を判断する過程と、該撮影状態お知らせ機能部の状態が正常でないとき、撮影せずに終了する過程と、該撮影状態お知らせ機能部の状態が正常であるとき、既設定された撮影状態お知らせ機能を遂行すると共に撮影を遂行する過程と、を順次行うことを特徴とし、これにより上記目的を達成する。
【００３４】
　前記カメラ機能の選択は、前記カメラスイッチの動作の検出又はカメラ撮影メニューの選択を表すことを特徴としてもよい。
【００３５】
　前記撮影状態お知らせ機能部は、既設定された音声又は音響を再生するオーディオ再生部と、前記再生される音声又は音響を出力するためのスピーカーと、既設定されたパターンで発光する発光素子と、を包含して構成されることを特徴としてもよい。
【００３６】
　フラッシュが更に包含されることを特徴とする請求項９に記載のカメラを備えてもよい。
【００３７】
　前記撮影状態お知らせ機能部の状態を判断する過程は、前記スピーカーの固有抵抗値を測定する過程と、前記測定されたスピーカーの固有抵抗値によって前記スピーカーの状態を判断する過程と、前記発光素子の固有抵抗値や固有電圧降下を測定する過程と、前記測定された発光素子の固有抵抗値や電圧降下によって前記発光素子の状態を判断する過程と、を順次行うことを特徴としてもよい。
【００３８】
　前記撮影状態お知らせ機能は、音声／音響出力機能、発光機能及びフラッシュ機能の少なくとも一つを包含することを特徴としてもよい。
【００３９】
　前記音声／音響出力機能は、既設定された音声メッセージ又は音響を制御器の制御により前記メモリから引き出して、その引き出された音声メッセージ又は音響を再生して外部に出力することを特徴としてもよい。
【００４０】
　前記音声メッセージ又は音響は、保存された複数の音声メッセージ又は音響から使用者の選択により設定されることを特徴としてもよい。
【００４１】
　前記発光機能は、既設定されたパターンで発光することを特徴としてもよい。
【００４２】
　前記パターンは、複数の発光パターンから使用者の選択により設定されることを特徴としてもよい。
【００４３】
　前記撮影状態お知らせ機能を遂行する過程は、前記カメラ機能が写真撮影を表すと、前記既設定された撮影状態お知らせ機能を撮影直前又は撮影と同時に遂行する過程と、前記カメラ機能が動映像撮影を表すと、前記既設定された撮影状態お知らせ機能を撮影する間連続的に遂行する過程と、を包含することを特徴としてもよい。
【発明の効果】
【００４４】
　本発明に係るカメラを備えた移動通信端末機のカメラ撮影制御装置及びその方法においては、カメラの動作指示が検出されると、スピーカー、発光素子及びフラッシュを包含する撮影状態お知らせ機能部をカメラ機能部と共に駆動することで、撮影事実を撮影対象者や撮影現場周辺の人々に知らせることができるという効果がある。
【００４５】
　又、本発明は、カメラの動作指示が検出されると、撮影状態お知らせ機能部が正常であるかを確認して、正常な場合のみに撮影を可能にすることで、盗撮を防止することができるため、私生活及び産業／軍事的機密を保護し得るという効果がある。
【発明を実施するための最良の形態】
【００４６】
　以下、本発明の実施の形態に対し、図面に基づいて説明する。
【００４７】
　本発明は、移動通信端末機に外装又は内蔵されたデジタルカメラを利用して撮影を遂行する場合、撮影事実を外部に知らせることが目的であるため、デジタルカメラの具体的な構成や機能に対してはその説明を省略する。
【００４８】
　又、デジタルカメラが外装又は内蔵された移動通信端末機は、携帯性及び操作性が優秀であるため、移動通信端末機のデジタルカメラを利用した撮影は、移動通信端末機の各機能を利用してそのデジタルカメラの機能を一部制限することが好ましい。
【００４９】
　図１は、本発明に係るカメラを備えた移動通信端末機のカメラ撮影制御装置の構成を示したブロック図で、図示されたように、本発明に係るカメラを備えた移動通信端末機のカメラ撮影制御装置においては、移動通信端末機の既存構成要素のオーディオ再生部５００、外部スピーカー６００及び発光素子（Ｌｉｇｈｔ　Ｅｍｉｔｔｉｎｇ　Ｄｉｏｄｅ；ＬＥＤ）７００を利用している。即ち、本発明に係るカメラを備えた移動通信端末機のカメラ撮影制御装置においては、カメラの動作を指示するカメラスイッチ１００と、該カメラスイッチ１００の動作が検出されると、既設定された撮影状態お知らせ機能が正常であるか否かを確認して、撮影状態お知らせ機能が正常であるとカメラの動作を制御する制御器２００と、該制御器２００の制御により、外部映像をデジタル映像データに変換するカメラ機能部３００と、撮影状態を知らせるための音声メッセージや音響を保存し、前記変換されたデジタル映像データを保存するメモリ４００と、前記制御器２００の制御により、前記保存された音声メッセージや音響を再生するオーディオ再生部５００と、前記再生された音声メッセージや音響を出力するスピーカー６００と、前記制御器２００の制御により、撮影状態を所定パターンに表示する発光素子７００と、を包含して構成されている。
【００５０】
　又、前記移動通信端末機は、既存のキー（ｋｅｙ）とは別途に具備されたキーを前記カメラスイッチ１００として利用することもできるし、既存のキー中、所定キーをメニューの選択により前記カメラスイッチ１００として利用することもできるし、ソフトキーを前記カメラスイッチ１００として利用することもできる。
【００５１】
　以下、このように構成された本発明に係るカメラを備えた移動通信端末機のカメラ撮影制御装置の動作に対して説明する。
【００５２】
　図２に示したように、前記カメラスイッチ１００の入力が検出されると、前記制御器２００は、撮影状態お知らせ機能が正常であるか否かを確認して、正常であると撮影状態お知らせ機能を遂行すると共に撮影を遂行し、撮影状態お知らせ機能が正常でないと撮影手順を終了する。
【００５３】
　より詳しくは、前記撮影状態お知らせ機能は、撮影状態であることを知らせる音声メッセージ又は音響を移動通信端末機の前記スピーカー６００を通して外部に出力する機能（音声／音響出力機能）、撮影状態であることを知らせる所定発光パターンを発光素子７００を通して外部に出力する機能（発光機能）及び撮影状態であることを知らせる光をフラッシュ（図２には図示せず）を通して出力するフラッシュ機能の少なくとも一つを包含する。
【００５４】
　又、前記音声／音響出力機能は、写真撮影の場合、撮影直前又は撮影と同時に音声メッセージ又は音響を出力する。音声メッセージとしては“撮影を始めます。”のようなメッセージが使用され、音響としては特定メロディが使用される。撮影状態を知らせるために出力される音声メッセージ又は音響は、複数のメッセージ又は音響から使用者により選択される。動画像撮影の場合、音声／音響出力機能は、撮影する間連続的に音声メッセージ又は音響を出力する。
【００５５】
　又、発光機能は、写真撮影の場合、撮影直前又は撮影と同時に撮影状態を知らせるための所定発光パターンを出力するが、該所定発光パターンは、複数のパターンから使用者により選択される。動画像撮影の場合、発光機能が、選択されたパターンを撮影する間、連続的に発光する。
【００５６】
　然し、移動通信端末機にこのような撮影状態お知らせ機能が具備されるとしても、使用者は盗撮の目的で前記具備された撮影状態お知らせ機能を任意に変更する可能性がある。即ち、使用者は前記スピーカー６００のラインを切断するか、イヤホンに連結して前記スピーカー６００の外部出力機能を停止させるか、又は前記発光素子７００を除去することで撮影状態お知らせ機能を麻痺させることができる。従って、このような撮影状態お知らせ機能の麻痺を防止するために、本発明は次のような機能を付加する。
【００５７】
　即ち、本発明は、前記制御器２００が前記スピーカー６００の固有抵抗を測定する動作などを遂行することで、前記スピーカー６００のラインが切断された状態であるか否かを確認することができるし、前記カメラスイッチ１００の入力が検出されるときはイヤホンの連結と関係なしに前記スピーカー６００を強制的に動作させる。又、本発明は、前記発光素子７００の固有抵抗や固有電圧降下を測定することで前記発光素子７００が正常状態であるかを確認することができるし、且つ、フラッシュの固有抵抗を測定してフラッシュが正常状態であるかを確認することができる。
【００５８】
　図２は、本発明に係るカメラを備えた移動通信端末機のカメラ撮影制御方法を示したフローチャートで、図示されたように、前記カメラスイッチ１００の入力が検出されると、前記制御器２００は、撮影状態お知らせ機能が正常であるか否かを確認する（Ｓ１１、Ｓ１３）。
【００５９】
　次いで、前記撮影状態お知らせ機能に音声／音響出力機能及び発光機能が全て設定された場合、前記制御器２００は、前記スピーカー６００及び前記発光素子７００が正常状態であるかを確認して、それらスピーカー６００及び発光素子７００が正常状態でないとき、前記制御器２００は、エラーメッセージを出力して撮影動作を終了する（Ｓ１５）。
【００６０】
　然し、それらスピーカー６００及び発光素子７００が正常状態であると、前記制御器２００は、撮影状態お知らせ機能を駆動して撮影を遂行する（Ｓ１７）。
【００６１】
　従って、前記オーディオ再生部５００は、前記制御器２００の制御により、前記メモリ４００から撮影状態であることを知らせる音声メッセージ又は音響を引き出して、その引出しされた音声メッセージ又は音響を再生し、前記スピーカー６００は、前記再生される音声メッセージ又は音響を外部に出力する。このようにして撮影が開始されると、予め設定された音声メッセージ又は音響が前記スピーカー６００を通して外部に出力される。又、前記発光素子７００は、前記制御器２００の制御により、撮影状態であることを知らせる所定発光パターンを出力し、これと共に前記カメラ機能部３００は、イメージセンサーにより感知される映像を、前記制御器２００の制御により、デジタル映像データに変換することで撮影を遂行する。
【００６２】
　以上説明したように、本発明に係るカメラを備えた移動通信端末機のカメラ撮影制御装置及びその方法においては、カメラの動作指示が検出されると、スピーカー、発光素子及びフラッシュを包含する撮影状態お知らせ機能部をカメラ機能部と共に駆動することで、撮影事実を撮影対象者や撮影現場周辺の人々に知らせることができるという効果がある。
【００６３】
　又、本発明は、カメラの動作指示が検出されると、撮影状態お知らせ機能部が正常であるかを確認して、正常な場合のみに撮影を可能にすることで、盗撮を防止することができるため、私生活及び産業／軍事的機密を保護し得るという効果がある。
【図面の簡単な説明】
【００６４】
【図１】本発明に係るカメラを備えた移動通信端末機のカメラ撮影制御装置の構成を示したブロック図である。
【図２】本発明に係るカメラを備えた移動通信端末機のカメラ撮影制御方法を示したフローチャートである。
【図３】デジタルカメラを備えた従来の移動通信端末機の構成を示したブロック図である。
【符号の説明】
【００６５】
　１０　カメラスイッチ
　２０　制御器
　３０　カメラ機能部
　４０　メモリ
　１００　カメラスイッチ
　２００　制御器
　３００　カメラ機能部
　４００　メモリ
　５００　オーディオ再生部
　７００　発光素子
【図１】
2004080790.tif 000003
【図２】
2004080790.tif 000004
【図３】
2004080790.tif 000005